(57)【特許請求の範囲】
【請求項１】
複数の端子空洞と、第１スロットと、第２スロットとを備えたコネクタ本体を有するコネクタハウジングであって、この複数の端子空洞は、複数の端子を受けるように構成され、前記第１スロットは、コネクタ本体を介して縦方向に延び、前記第２スロットは、コネクタ本体を介して横方向に延び、このコネクタ本体は、複数の端子の第１端部と係合して複数の端子空洞に複数の端子を保持するように構成された第１複数の係止突起を有するものと；
第１位置と第２位置との間の移動のための第１スロット内に摺動可能に受けられる係止強化部材であって、この係止強化部材は、係止強化部材が第２位置にあるときに、係止突起の部分集合と係合して、端子空洞の第１部分集合から係止突起が離れる偏倚を防止し、その係止強化部材は、カムを有するものと；
第３位置と第４位置との間の移動のための第２スロット内に摺動可能に受けられる補助ロックであって、この補助ロックは、補助ロックが第４位置にあるときに、端子の部分集合の第２端部と係合して、端子空洞の第２部分集合内に端子を支持するように構成され、補助ロックは、カムと係合するカム従動子を有するものとを有し；
さらに、係止強化部材が第１スロット内で第１位置から第２位置に移動されて、第２スロット内で補助ロックを第３の位置から第４位置に移動させるときに、カムとカム従動子とが協働するコネクタアセンブリ。
【請求項２】
第１の複数の係止突起は、コネクタ本体から縦方向に延びる請求項１記載のコネクタアセンブリ。
【請求項３】
係止強化部材は、この係止強化部材が、第２位置にあるときに係止突起とコネクタ本体との間のギャップを満たすことによって、係止突起の第１部分集合を支持する支持部材を有する請求項２記載のコネクタアセンブリ。
【請求項４】
補助ロックは、端子空洞の第２部分集合内に突出し、かつ、補助ロックが第４位置にあるときに、端子の部分集合の第２端部と係合するように構成される第２の複数の係止突起を有する請求項１記載のコネクタアセンブリ。
【請求項５】
カムとカム従動子とは、係止強化部材が前記第１位置にあるときに、第３位置から離れる補助ロックの移動を禁止するように構成される請求項１記載のコネクタアセンブリ。
【請求項６】
カムは、係止強化部材が第１位置にあるときに、カム従動子と係合する第１部分と、係止強化部材が第２位置にあるときに、カム従動子と係合する第２部分とを有し、そのカムは、第１部分と第２部分との間で縦方向および横方向に延びる請求項１記載のコネクタアセンブリ。
【請求項７】
第１戻り止めであって、それは第１位置に係止強化部材を維持するように構成されるものと、第２位置に係止強化部材を維持するように構成される第２戻り止めとをさらに有する請求項１記載のコネクタアセンブリ。
【請求項８】
第１戻り止めおよび第２戻り止めは、それぞれ傾斜した突起およびタブを有し、この傾斜した突起は、第１スロット内に延び、タブは、係止強化部材に結合され、係止強化部材は、第１スロット内で移動されながら傾斜した突起上に摺動するように構成される請求項７記載のコネクタアセンブリ。
【請求項９】
係止強化部材および補助ロックは、この係止強化部材および補助ロックが、それぞれ、第１位置および第３位置にあるときに、複数の端子が複数の端子空洞に挿入されることを可能にするように構成される請求項１記載のコネクタアセンブリ。
【請求項１０】
第１スロットは、端子空洞の第１部分集合に隣接して延びる請求項１記載のコネクタアセンブリ。
【請求項１１】
第２スロットは、端子空洞の第２部分集合を介して延びる請求項１記載のコネクタアセンブリ。
【請求項１２】
補助ロックは、１対の補助ロックを有し、この補助ロックは、コネクタ本体の対向する側部に挿入される請求項１記載のコネクタアセンブリ。
【請求項１３】
複数の端子の第１端部と係合して、複数の端子空洞、およびこの複数の端子空洞内に複数の端子を保持するように構成される複数の係止突起を有するコネクタ本体と：
このコネクタ本体と摺動可能に係合される係止強化部材であって、この係止強化部材は、係止突起の部分集合と係合して、係止突起が端子空洞の第１部分集合から離れて偏倚するのを防止するように移動可能であるものと；
コネクタ本体と摺動可能に係合される補助ロックであって、この補助ロックは、端子の部分集合の第２端部と係合して、端子空洞の第２部分集合内の端子を保持するように移動可能であるものと；
を有し、前記係止強化部材は、補助ロックと係合し、さらに、この係止強化部材および補助ロックのうちの一方の、コネクタアセンブリと協働する第１位置から第２位置への移動は、プリセット状態にあり、コネクタアセンブリがフルセット状態にあるように、係止強化部材および補助ロックのうちの他方を移動させるコネクタアセンブリ。
【請求項１４】
コネクタハウジングは、第１スロット、および第２スロットを画定し、この第１スロットは、コネクタ本体を介して縦方向に延びて係止強化部材を受け、第２スロットは、コネクタ本体を介して横方向に延び、さらには補助ロックを受ける請求項１３記載のコネクタアセンブリ。
【請求項１５】
係止強化部材は、カムを有し、さらに補助ロックは、カム従動子を有し、このカムは、係止強化部材が第１位置から第２位置に移動されるときに、カム従動子と係合して補助ロックを第３位置から第４位置へ移動させる請求項１３記載のコネクタアセンブリ。
【請求項１６】
端子空洞の第１部分集合および端子空洞の第２部分集合は、適切な複数の端子空洞であり、さらにその第２部分集合に包含する端子空洞は、第１部分集合に包含される端子空洞とは異なる請求項１３記載のコネクタアセンブリ。
【請求項１７】
複数の端子空洞、および複数の端子と係合して複数の端子空洞内に複数の端子を保持するように構成される複数の係止突起を有するコネクタ本体と；
プリセット位置とフルセット位置との間の移動のためにコネクタ本体に関して摺動可能である係止強化部材であって、この係止強化部材は、維持する係止突起の部分集合と係合して、係止強化部材がフルセット位置内にあるときに、端子の第１部分集合と係合して係止突起を保持するように構成されるものと；
を有し、コネクタ本体に関して摺動可能であり、かつ係止強化部材と結合される補助ロックであって、この補助ロックは、端子の第２部分集合と係合して、係止強化部材が、フルセット位置にあるときに、複数の係止突起から独立して複数の端子空洞における複数の端子を支持するように構成されるコネクタアセンブリ。
【請求項１８】
コネクタ本体は、第１スロット、および第２スロットを画定し、第１スロットは、コネクタ本体を介して縦方向に延び、かつ、係止強化部材を受け、第２スロットは、コネクタ本体を介して横方向に延び、さらに補助ロックを受ける請求項１７記載のコネクタアセンブリ。
【請求項１９】
係止強化部材は、カムを有し、さらに補助ロックは、カム従動子を有し、このカムは従動子と係合して係止強化部材がプリセット位置からフルセット位置に移動されるときに、端子の第２部分集合との係合内に補助ロックを移動する請求項１７記載のコネクタアセンブリ。
【請求項２０】
端子空洞の第１部分集合および端子空洞の第２部分集合は、複数の端子空洞の適切な部分集合であり、さらに、第２部分集合に包含された端子空洞は、第１部分集合に包含された端子空洞とは異なる請求項１７記載のコネクタアセンブリ。
【発明の詳細な説明】
【技術分野】
【０００１】
この開示は、電気コネクタに係り、より特別には、カム作動の独立補助ロック（cam-actuated independent secondary lock）に関する。
【背景技術】
【０００２】
この項では、必ずしも先行技術ではないこの開示に関する背景情報を提供する。
【０００３】
従来のコネクタは、コネクタ本体と、係止突起と、第１係止補強材（ＰＬＲ）または独立補助ロック（ＩＳＬ）のいずれかとを有する。この係止突起は、端子の後端と係合して、端子空洞内の端子を保持する。通常は、ＰＬＲとＩＳＬとは、その端子が、端子空洞内に挿入されるまで、プリセット位置に調節され、そのポイントでは、ＰＬＲとＩＳＬとはフルセット位置に独立して移動される。そのフルセット位置では、ＰＬＲは、係止突起と係合して係止突起が端子空洞から離れて偏倚するのを防止する。そのフルセット位置では、ＩＳＬは、後端と係合して係止突起から独立して端子空洞内に端子を保持する。
【０００４】
ＰＬＲまたはＩＳＬを使用する決定は、コネクタ内の端子空洞のタイプ、およびまたは適用のタイプに依存することができる。単一のコネクタは、ＰＬＲとＩＳＬとの両方を有することができる。この場合、ＰＬＲとＩＳＬとは、コネクタが、従来のコネクタに関するコネクタのコストおよび複雑さを増加して組み立てられ、または修理されるときは、独立して移動されるに違いない。
【特許文献１】米国特許第５８１０６１９号明細書
【特許文献２】米国特許第６１４２８２６号明細書
【特許文献３】米国特許第６４０９５５２号明細書
【特許文献４】米国特許第６５２７５８３号明細書
【特許文献５】米国特許第６６６６７３１号明細書
【特許文献６】米国特許第６７４９４６９号明細書
【特許文献７】米国特許第６８０８４２９号明細書
【特許文献８】米国特許第６９７６８７５号明細書
【特許文献９】米国特許第７１７５４８３号明細書
【特許文献１０】米国特許第７１８２６５２号明細書
【特許文献１１】米国特許第７２０７８４８号明細書
【特許文献１２】米国特許第７２７８８９０号明細書
【特許文献１３】米国特許第７５００８７５号明細書
【特許文献１４】米国特許第７７６２８２６号明細書
【特許文献１５】米国特許第７７６６６９７号明細書
【特許文献１６】米国特許第７７７５８３１号明細書
【発明の概要】
【０００５】
この項は、開示の一般的な概要を提供するものであり、その全範囲の、またはその特徴のすべての包括的な開示ではない。
【０００６】
この開示によるコネクタアセンブリは、コネクタ本体と、係止強化部材と、補助ロックとを有する。このコネクタ本体は、端子空洞内に端子を保持するために複数の端子と係合するように構成された複数の端子空洞および複数の係止突起を有する。この係止強化部材は、端子の第１部分集合と係合した係止突起を支持するために、係止突起の部分集合との係合のためのコネクタ本体に関して摺動可能である。
【０００７】
補助ロックは、係止突起から独立して端子空洞内に端子を保持するために、端子の第２部分集合との係合のためのコネクタ本体に関して摺動可能である。補助ロックは、係止強化部材および補助ロックのうちの一方を移動させることが、係止強化部材および補助ロックのうちの他方を移動させるように、係止強化部材に結合される。
【０００８】
１つの状況において、係止強化部材は、カムを有し、さらに補助ロックは、カム従動子を有する。このカムは、カム従動子と係合して、端子の部分集合との係合に補助ロックを移動させる。
【０００９】
他の状況において、コネクタ本体は、第１スロットおよび第２スロットを画定する。第１スロットは、コネクタ本体を介して縦方向に延びて、さらに係止強化部材を受ける。第２スロットは、コネクタ本体を介して横方向に延びて、さらに補助ロックを受ける。
【００１０】
適用可能性のさらなる領域が、ここに提供される記述から明らかになる。この概要における記述および特定の例は、例証のみの目的のために意図されるもので、かつこの開示の範囲を限定するようには意図されない。
【図面の簡単な説明】
【００１１】
ここに記述された図面は、選択された実施例の例証目的のためのみであり、かつ全ての可能な実施ではなく、さらには、この開示の範囲を限定するようには意図されない。
【図１】この開示の教示にしたがって構築されたコネクタアセンブリの分解斜視図である；
【図２】プリセット状態におけるコネクタアセンブリを有する図１のコネクタアセンブリの斜視図である；
【図３】プリセット状態におけるコネクタアセンブリを有する図１のコネクタアセンブリの正面図である；
【図４】図３に示される４−４線に沿って得られた図１のコネクタアセンブリの断面図である；
【図５】図３に示される５−５線に沿って得られた図１のコネクタアセンブリの断面斜視図である；
【図６】フルセット状態におけるコネクタアセンブリを有する図１のコネクタアセンブリの斜視図である；
【図７】フルセット状態におけるコネクタアセンブリを有する図１のコネクタアセンブリの正面図である；
【図８】図７に示される８−８線に沿って得られた図１のコネクタアセンブリの断面斜視図である；
【図９】図７に示される９−９線に沿って得られた図１のコネクタアセンブリの断面斜視図である。対応する参照数字は、図面についてのいくつかの図全体にわたって対応する部分を示す。
【発明を実施するための形態】
【００１２】
実施例は、今、添付の図面に関してより完全に記述される。
【００１３】
ある要素、または層（layer）は、他の要素、または層の「うえに」、「係合され」、「接続され」、または「結合され」ることとして引用されるときは、それは、他の要素、または層に、直接そのうえに、係合され、接続され、または、結合されることができ、また、他の要素、または層が、存在することもできる。対照的に、要素が、「直接そのうえに、」「直接係合され、」「直接接続され、」または「直接結合されて」あることとして引用されるときは、他の介在する要素、または層は、なくてもよい。要素間の関係を記述するために使用される他の語は、同様な方法（例えば、「の間に」対「直接間に」、「隣接する」対「直接隣接する」、など）で解釈されるべきである。ここに使用されるように、用語「およびまたは」は、関連するリストされたアイテムの１つまたはそれ以上の、いかなる全ての組合せを有する。
【００１４】
用語、第１、第２、第３、などは、多様な要素、部品、部位、層、およびまたは区域を記述するためにここに使用することができるが、これらの要素、部品、部位、層、およびまたは、区域は、これらの用語によって限定されるべきでない。これらの用語は、１つの要素、部品、部位、層、または区域と区別して使用することができる。その文脈によって明確に示されないならば、「第１」、「第２」およびここに使用されたときの他の数に関する用語のような用語は、一続き、または順序を意味しない。したがって、以下に議論される第１要素、部品、部位、層、または区域は、実施例の教示から逸脱することなしに、第２要素、部品、部位、層、または区域と称することができる。
【００１５】
「内部の」、「外部の」、「下方に」、「以下に」、「より低い」、「上方の」、「上部の」、および同種のもののような、空間的に相対する語は、または図に例証されるような他の要素、または特徴に対して、１つの要素、または特徴を記述する記述の容易さのために、ここに使用することができる。空間的に相対する語は、図に描かれる方向に加えて、使用または動作における装置の異なる方向を包含するように意図することができる。例えば、図における装置が、反転される場合に、他の要素、または特徴の「下方に」、「以下に」と記述される要素は、その後、他の要素、または特徴「の上に」方向付けされる。したがって、例用語「以下に」は、上方および下方の両方を包含することができる。装置は、そうでなければ方向付け（９０度、または他の方向に回転）されることができ、さらに、したがって、解釈されて、ここに使用されることができる。
【００１６】
図１に関して、この開示の教示にしたがって構築されたコネクタアセンブリは、通常、参照数字１０によって示される。このコネクタアセンブリ１０は、コネクタ本体１２と、第１係止強化部材（ＰＬＲ）１４と、１対の独立した補助ロック（ＩＳＬ）１６とを有することができる。このコネクタ本体１２と、ＰＬＲ１４と、ＩＳＬ１６とは、射出成形によるように、別個にプラスチックから形成することができる。
【００１７】
コネクタ本体１２は、通常角柱形状を有することができる。コネクタ本体１２は、第１複数の端子空洞１８と、第２の複数の端子空洞２０と、第３の複数の端子空洞２２と、第１スロット２４と、１対の第２スロット２６（１つだけ図示）を画定することができる。端子空洞１８は、端子空洞２０より大きくすることができ、さらに、端子空洞２０は、端子空洞２２より大きくすることができる。
【００１８】
コネクタ本体１２は、第１端子ハウジング２８と、第２端子ハウジング３０と、１対のガイドレール３２とを有することができる。第１端子ハウジング２８は、端子空洞１８のうちで下方の１つを囲み、さらに、第２端子ハウジング３０は、端子空洞１８のうちで上方の１つを囲んでいる。ガイドレール３２は、端子空洞２０の下方に縦方向に延びる。
【００１９】
第１スロット２４は、ＰＬＲ１４を受けるように構成することができ、さらに、第２スロット２６は、ＩＳＬ１６を受けるように構成することができる。第１スロット２４は、コネクタ本体１２の前表面３４を介して、端子空洞１８、２０の下側に、かつ端子空洞１８の間に縦方向に延びることができる。第２スロット２６は、コネクタ本体１２の対向する側部３６（一方のみ図示）を介して、かつ端子空洞２２の間に横方向に延びることができる。
【００２０】
ＰＬＲ１４は、通常長方形の本体３８と、この長方形本体３８から外方に横方向に延びる１対の支持部材４０を有することができる。長方形本体３８は、基礎４２と、この基礎４２から上方に延びる１対の壁４４と、壁４４の間に延びて、壁４４を接続するブリッジ４６とを有することができる。長方形本体３８は、この長方形本体３８を介して縦方向に延びる通路４８を画定することができる。この通路４８は、第１端子ハウジング２８を受けるように構成することができる。壁４４は、この壁４４を介して縦方向に延びる１対の通路５０、および壁４４を介して横方向に延びる１対のスロット５２を画定することができる。長方形本体３８の頂面５４は、下方に入り込んで第２端子ハウジング３０を収容することができる。
【００２１】
支持部材４０のそれぞれは、縦方向に延びるガイド溝５６を画定することができる。ガイド溝５６は、ＰＬＲ１４が、コネクタ本体１２内の第１スロット２４に挿入されながら、コネクタ本体１２上のガイドレール３２を受けるように構成することができる。
【００２２】
支持部材４０のそれぞれは、長方形本体５８、および長方形本体５８から上方に延びる複数の突起６０を有することができる。突起６０のそれぞれは、保持機構６２、およびこの保持機構６２から縦方向に延びるガイドレール６４を有することができる。
【００２３】
ＩＳＬ１６のそれぞれは、通常長方形状を有することができ、かつ長方形本体６８と、１対のボス７０と、交互の突起７２、７４と、１対のタブ７６とを有することができる。ボス７０と、突起７２、７４と、タブ７６とは、長方形本体６８の対向する側部７８から縦方向に延びることができる。突起７２は、第１高さを有し、さらに、突起７４は、第１高さより大きな第２高さを有することができる。
【００２４】
図２〜５に関して、コネクタアセンブリ１０は、プリセット位置にあるＰＬＲ１４およびＩＳＬ１６と関連したプリセット状態の中で示される。このコネクタアセンブリ１０が、最初に組み立てられるときに、ＰＬＲ１４およびＩＳＬ１６は、そのそれぞれのプリセット位置に調節されることができる。このＰＬＲ１４が、ＩＳＬ１６とＰＬＲ１４の壁４４との間の干渉を回避するためにコネクタ本体１２に挿入される前に、ＩＳＬ１６は、コネクタ本体１２に挿入されることができる。コネクタアセンブリ１０が、分解されるときは、ＰＬＲ１４およびＩＳＬ１６は、そのそれぞれのプリセット位置に返されることができる。
【００２５】
図４に関して、コネクタ本体１２およびＰＬＲ１４は、そのプリセット位置にＰＬＲ４を支持するように構成される第１の１対の戻り止め８０を形成するように協働することができる。戻り止め８０のそれぞれは、傾斜した突起８２およびタブ８４を有することができる。傾斜した突起８２は、コネクタ本体１２の表面８６から縦方向に延び、さらにタブ８４は、ＰＬＲ１４の後端に沿って横方向に延びる。ＰＬＲ１４は、コネクタ本体１２内に搭載されるとともに、タブ８４は、傾斜した突起８２上を摺動することができる。傾斜した突起８２は、その後、タブ８４と係合して、そのプリセット位置にＰＬＲ１４を維持することができる。
【００２６】
ＰＬＲ１４を介して延びる移動通路５０のそれぞれは、第１部分８８と、第２部分９０と、第３部分９２とを有することができる。ＰＬＲ１４およびＩＳＬ１６がそれらのプリセット位置内にＩＳＬ１６を維持するためにそれぞれのプリセット位置にあるときに、第１部分８８は、ＩＳＬ１６上にボス７０を係合することができる。第１部分８８および第３部分９２は、ＰＬＲ１４の壁４４を介して縦方向に延びることができる。第２部分９０は、第１部分８８と第３の部分９２との間に縦方向に、および横方向に延びることができる。
【００２７】
図５に関して、図１から３に示される端子空洞１８は、端子（図示せず）の第１の複数の端子を受けるように構成することができ、端子空洞２０は、第２の複数の端子９４を受けるように構成することができ、さらに端子空洞２２は、第３の複数の端子９６を受けるように構成することができる。第１の複数の端子は、第１羽根幅（例えば６．３ミリメートル（ｍｍ））を有することができ、第２の複数の端子９４は、第２羽根幅（例えば２．８ｍｍ）を有することができ、さらには、第３の複数の端子９６は、第３の羽根幅を有することができる。第１羽根幅は、第２羽根幅より大きくすることができ、さらに、第２羽根幅は、第３の羽根幅より大きくすることができる。
【００２８】
第１の複数の係止突起（図示せず）と、第２の複数の係止突起９８と、第３の複数の係止突起１００とは、それぞれ、端子空洞１８、２０、２２に延びることができ、さらに、その係止突起は、コネクタ本体１２と一体に形成することができる。第１の複数の係止突起、および第２の複数の係止突起９８は、それぞれ第１の複数の端子、および第２の複数の端子９４、端子空洞１８、２０への複数の挿入を可能にするように屈曲するアームであることができる。端子９４が端子空洞２０内に搭載されるときに、係止突起９８は、端子９４の後端１０２と係合して、端子空洞２０内に端子９４を保持することができる。同様に、端子９６が端子空洞２２に搭載されるときに、係止突起１００は、端子９６の後端１０４と係合して、端子空洞２２内に端子９６を保持することができる。第１の複数の係止突起は、同様のやり方で、第１の複数の端子を保持することができる。
【００２９】
ＰＬＲ１４が、図５に示されるようにそのプリセット位置にあるときに、ＰＬＲ１４の支持部材４０は、係止突起９８とコネクタ本体１２との間のギャップ１０６から撤去される。したがって、支持部材４０は、端子９４が端子空洞２０に挿入されるか、または端子空洞２０から撤去されながら、係止突起９８が下方へ屈曲するのを妨げない。したがって、ＰＬＲ１４がそのプリセット位置にあるときに、端子９４は、端子空洞２０に挿入されるか、またはそれから撤去することができる。同様に、支持部材４０は、第１の複数の端子が端子空洞１８に挿入されるか、それから撤去されながら、第１の複数の係止突起が屈曲するのを妨げない。したがって、第１の複数の端子は、ＰＬＲ１４がそのプリセット位置にあるときに、端子空洞１８に挿入するか、または、それから撤去することができる。
【００３０】
ＩＳＬ１６が、図５に示されるように、それらのプリセット位置にあるときに、ＩＳＬ１６上の突起７２は、端子空洞２２と整列される。突起７２の第１高さは、ＩＳＬ１６がそれらのプリセット位置にあるときに、端子９６が端子空洞２２に挿入されるか、それから撤去されながら、突起７２と端子９６との間の干渉を回避するように選択することができる。したがって、端子９６は、ＩＳＬ１６がそれらのプリセット位置にあるときに、端子空洞２２に挿入されるか、またはそれから撤去することができる。
【００３１】
図６から９に関して、コネクタアセンブリ１０は、フルセット位置にあるＰＬＲ１４およびＩＳＬ１６と協働して、フルセット状態で示される。第１の複数の端子と、第２の複数の端子９４と、第３の複数の端子９６とが、それぞれ、端子空洞１８、２０、２２に挿入された後に、ＰＬＲ１４およびＩＳＬ１６は、それぞれのフルセット位置に調節されることができる。ＰＬＲ１４およびＩＳＬ１６は、そのプリセット位置からそのフルセット位置に、ＰＬＲ１４を移動させることが、ＩＳＬ１６をそれらのプリセット位置からそれらのフルセット位置に移動させるそのように、機械的にリンクされる。機械的なリンクは、そのフルセット位置からそのプリセット位置にＰＬＲ１４を移動させることが、さらにそれらのフルセット位置からそれらのプリセット位置にＩＳＬ１６を移動させることを保証する。代りに、そのＰＬＲ１４およびＩＳＬ１６は、それらのプリセット位置とそれらのフルセット位置との間のＩＳＬ１６の一方、または両方を移動させることが、そのプリセット位置とそのフルセット位置との間のＰＬＲ１４を移動させるように、機械的にリンクすることができる。
【００３２】
図４および８に関して、ＰＬＲ１４が、そのプリセット位置（図４）からそのフルセット位置（図８）に移動されながら、ＰＬＲ１４の上の移動通路５０の第２部分９０は、ＩＳＬ１６上のボス７０と係合することができる。その結果、ＰＬＲ１４は、ＩＳＬ１６を内方で横方向に移動させる。したがって、ＰＬＲ１４が、そのプリセット位置からそのフルセット位置に移動されながら、移動通路５０は、ボス７０と係合して、それらのプリセット位置からそれらのフルセット位置にＩＳＬ１６を移動させることができる。
【００３３】
ＰＬＲ１４が、そのフルセット位置（図８）からそのプリセット位置（図４）に移動されながら、トラック５０は、ボス７０と係合してＩＳＬ１６を外方で横方向に移動させることができる。したがって、ＰＬＲ１４が、そのプリセット位置からそのフルセット位置に移動されながら、トラック５０は、ボス７０と係合してそれらのフルセット位置からそれらのプリセット位置にＩＳＬ１６を移動させることができる。このように、ＰＬＲ１４およびＩＳＬ１６は、カムの役割をする移動通路５０、およびカム従動子の役割をするボス７０を備えたカム装置を形成するように協働することができる。
【００３４】
図８に関して、コネクタ本体１２およびＰＬＲ１４は、そのフルセット位置内にＰＬＲ４を維持するように構成される戻り止めの第２の対１０８を形成するように協働することができる。戻り止め１０８のそれぞれは、傾斜し突起１１０およびタブ１１２を有することができる。この傾斜した突起１１０は、コネクタ本体１２の表面１１４から横方向に延び、さらにタブ１１２は、ＰＬＲ１４の後端に沿って縦方向に延びる。このＰＬＲ１４がコネクタ本体１２に搭載されるので、タブ１１２は傾斜した突起１１０上を摺動することができる。傾斜し突起１１０は、その後、タブ１１２と係合して、ＰＬＲ１４をそのフルセット位置に維持することができる。ＰＬＲ１４およびＩＳＬ１６がそれぞれのフルセット位置にあるときに、移動通路５０の第３の部分９２が、ＩＳＬ１６上のボス７０と係合してそれらのフルセット位置内にＩＳＬ１６を維持することができる。
【００３５】
図９に関して、ＰＬＲ１４が図示されるようなそのフルセット位置にあるときは、ＰＬＲ１４の支持部材４０は、係止突起９８とコネクタ本体１２との間のギャップ１０６内に配置される。したがって、支持部材４０は、係止突起９８が下方へ屈曲するのを阻止することによって係止突起９８を支持する。このように、ＰＬＲ１４は、そのフルセット位置にあるときに、ＰＬＲ１４が係止突起９８を強化して、端子空洞２０内に端子９４を保持する。同様に、支持部材４０は、ＰＬＲ１４がそのフルセット位置にあるときに、第１の複数の係止突起が、垂直に屈曲するのを防ぐことによって、第１の複数の係止突起を支持する。このように、ＰＬＲ１４は、このＰＬＲ１４がそのフルセット位置にあるときに、第１の複数の係止突起を強化して、端子空洞１８内の第１の複数の端子を保持する。
【００３６】
ＩＳＬ１６が、図９に示されるように、それらのフルセット位置にあるときに、ＩＳＬ１６上の突起７４は、端子空洞２２と整列される。その結果、端子９６が端子空洞２２内に搭載されるときは、ＩＳＬ１６上の突起７４は、端子９６の後端１１６と係合して端子空洞２２内に端子９６を保持する。このように、ＩＳＬ１６がそれらのフルセット位置にあるときに、ＩＳＬ１６は、コネクタ本体１２上の係止突起１００から独立して端子空洞２２内に端子９６を保持する。
【００３７】
先行する実施例の記述は、例証と記述との目的のために提供されてきた。それは、網羅的であったり、または開示を限定するようには意図されていない。特別の実施例の個別の要素、または特徴は、通常、その特別の実施例に限定されないが、しかし、例え特別に示されなかったり、または記述されなかったとしても、適用可能であり、交換可能である場合、選択された実施例において使用することができる。同じことが、また、多くの方法で変更することができる。そのような変更は、開示からの逸脱と見るべきではないし、さらに、そのような修正はすべて、開示の範囲内で包含されるように意図される。
【００３８】
例えば、上に記述された実施例において、ＰＬＲ１４およびＩＳＬ１６は、協働して、カムの役割をするトラック５０を有するＰＬＲ１４、およびカム従動子の役割をするボス７０を有するＩＳＬ１６を備えたカム装置を形成する。追加して、または、代りに、ＰＬＲ１４は、カム従動子の役割をする特徴を有することができ、さらに、ＩＳＬ１６は、カムの役割をする特徴を有することができる。さらに、ＰＬＲ１４およびＩＳＬ１６は、ギヤ、リンケージ、およびまたは、たわみ機構のような他のメカニズムを使用して、機械的にリンクすることができる。さらに、上に記述された実施例においては、ＰＬＲ１４は、対のＩＳＬ１６に機械的にリンクされる。しかしながら、ＰＬＲ１４は、単一のＩＳＬに機械的にリンクすることができ、または、ＰＬＲ１４は、機械的に２つより多いＩＳＬに機械的にリンクすることができる。
【図１】
0005529316.tif 000002
【図２】
0005529316.tif 000003
【図３】
0005529316.tif 000004
【図４】
0005529316.tif 000005
【図５】
0005529316.tif 000006
【図６】
0005529316.tif 000007
【図７】
0005529316.tif 000008
【図８】
0005529316.tif 000009
【図９】
0005529316.tif 000010